(57)【要約】  自フレームのデータ信号に変換される前の階調データに対して、少なくとも、上記自フレームよりも前の所定のフレームの上記階調データと、上記自フレームの上記階調データとに基づいたオーバーシュート量を有するようにデータ変換処理するオーバーシュート処理（ＯＳ処理）を行い、上記自フレームの上記階調データに上記オーバーシュート処理が行われて得られたオーバーシュート処理後階調データに対して、表示パネルにおいてデータ信号を供給する各コラムの位置に対応した補正量で階調補正（ΔＶｄ補正部）を行う。
2010087051.tif 000002
【特許請求の範囲】
【請求項１】
アクティブマトリクス型の表示装置であって、
自フレームのデータ信号に変換される前の階調データに対して、上記自フレームよりも前の所定のフレームの上記階調データと上記自フレームの上記階調データとに少なくとも基づいたオーバーシュート量を有するようにデータ変換処理するオーバーシュート処理を行い、上記自フレームの上記階調データに上記オーバーシュート処理が行われて得られたオーバーシュート処理後階調データに対して、表示パネル上のデータ信号を供給する各コラムの位置に対応した補正量で階調補正を行うことを特徴とする表示装置。
【請求項２】
上記補正量は、上記各コラムの位置に対応した引き込み電圧の大きさに対応していることを特徴とする請求項１に記載の表示装置。
【請求項３】
各絵素に供給するデータ信号の極性は、１フレームごとに反転することを特徴とする請求項１または２に記載の表示装置。
【請求項４】
上記データ信号に変換される前の階調データは、表示ドライバに供給される前の階調データであることを特徴とする請求項１から３までのいずれか１項に記載の表示装置。
【請求項５】
各ゲートバスラインに、上記各ゲートバスラインの両端からゲートパルスを供給することを特徴とする請求項１から４までのいずれか１項に記載の表示装置。
【請求項６】
各ゲートバスラインに、全ての上記ゲートバスラインに対する所定の片端からゲートパルスを供給することを特徴とする請求項１から４までのいずれか１項に記載の表示装置。
【請求項７】
上記オーバーシュート量を、上記オーバーシュート量に関する情報を格納した第１のルックアップテーブルを参照して設定することを特徴とする請求項１から６までのいずれか１項に記載の表示装置。
【請求項８】
上記補正量を、上記補正量に関する情報を格納した第２のルックアップテーブルを参照して設定することを特徴とする請求項１から７までのいずれか１項に記載の表示装置。
【請求項９】
上記第２のルックアップテーブルは、一部の上記コラムの位置に対応した上記補正量に関する情報を格納しており、
上記一部の上記コラムの位置に対応した上記オーバーシュート処理後階調データに対しては、上記第２のルックアップテーブルに格納された上記補正量に関する情報を読み込んで上記補正量を設定し、
他の上記コラムの位置に対応した上記オーバーシュート処理後階調データに対しては、上記第２のルックアップテーブルに格納された上記補正量に関する情報を用いた補間演算により上記補正量を求めて設定することを特徴とする請求項８に記載の表示装置。
【請求項１０】
アクティブマトリクス型の表示装置を駆動する表示装置の駆動方法であって、
自フレームのデータ信号に変換される前の階調データに対して、上記自フレームよりも前の所定のフレームの上記階調データと上記自フレームの上記階調データとに少なくとも基づいたオーバーシュート量を有するようにデータ変換処理するオーバーシュート処理を行い、上記自フレームの上記階調データに上記オーバーシュート処理が行われて得られたオーバーシュート処理後階調データに対して、表示パネル上のデータ信号を供給する各コラムの位置に対応した補正量で階調補正を行うことを特徴とする表示装置の駆動方法。
【請求項１１】
上記補正量は、上記各コラムの位置に対応した引き込み電圧の大きさに対応していることを特徴とする請求項１０に記載の表示装置の駆動方法。
【請求項１２】
各絵素に供給するデータ信号の極性は、１フレームごとに反転することを特徴とする請求項１０または１１に記載の表示装置の駆動方法。
【請求項１３】
上記データ信号に変換される前の階調データは、表示ドライバに供給される前の階調データであることを特徴とする請求項１０から１２までのいずれか１項に記載の表示装置の駆動方法。
【請求項１４】
各ゲートバスラインに、上記各ゲートバスラインの両端からゲートパルスを供給することを特徴とする請求項１０から１３までのいずれか１項に記載の表示装置の駆動方法。
【請求項１５】
各ゲートバスラインに、全ての上記ゲートバスラインに対する所定の片端からゲートパルスを供給することを特徴とする請求項１０から１３までのいずれか１項に記載の表示装置の駆動方法。
【請求項１６】
上記オーバーシュート量を、上記オーバーシュート量に関する情報を格納した第１のルックアップテーブルを参照して設定することを特徴とする請求項１０から１５までのいずれか１項に記載の表示装置の駆動方法。
【請求項１７】
上記補正量を、上記補正量に関する情報を格納した第２のルックアップテーブルを参照して設定することを特徴とする請求項１０から１６までのいずれか１項に記載の表示装置の駆動方法。
【請求項１８】
上記第２のルックアップテーブルは、一部の上記コラムの位置に対応した上記補正量に関する情報を格納しており、
上記一部の上記コラムの位置に対応した上記オーバーシュート処理後階調データに対しては、上記第２のルックアップテーブルに格納された上記補正量に関する情報を読み込んで上記補正量を設定し、
他の上記コラムの位置に対応した上記オーバーシュート処理後階調データに対しては、上記第２のルックアップテーブルに格納された上記補正量に関する情報を用いた補間演算により上記補正量を求めて設定することを特徴とする請求項１７に記載の表示装置の駆動方法。
【発明の詳細な説明】
【技術分野】
【０００１】
本発明は、表示パネルにおける表示品位の面内分布を改善する技術に関する。
【背景技術】
【０００２】
絵素の選択素子にＴＦＴを用いたアクティブマトリクス型の液晶表示装置において、引き込み現象(feed through)が起こることは一般によく知られている（例えば非特許文献１参照）。以下に、引き込み現象について簡単に説明する。【０００３】
図５は１つの絵素の等価回路を示す。ゲートバスラインＧＬとソースバスラインＳＬとの交差点に１つの絵素ＰＩＸが対応して設けられている。絵素ＰＩＸは、ＴＦＴ１０１、液晶容量Ｃｌｃ、および、補助容量Ｃｓを備えている他に、通常、絵素電極１０２とゲートバスラインＧＬとの間に形成された容量Ｃｇｄなどの寄生容量も含んでいる。ＴＦＴ１０１のゲートはゲートバスラインＧＬに、ＴＦＴ１０１のソースはソースバスラインＳＬに、ＴＦＴ１０１のドレインは絵素電極１０２に、それぞれ接続されている。液晶容量Ｃｌｃは、絵素電極１０２と電圧Ｖｃｏｍが印加された対向電極との間に液晶層が配置されてなり、補助容量Ｃｓは、絵素電極１０２もしくは絵素電極１０２に接続された電極と、電圧Ｖｃｓが印加された補助容量バスラインとの間に絶縁膜が配置されてなる。電圧Ｖｃｓは例えば電圧Ｖｃｏｍに等しいが、他の値の電圧でもよい。【０００４】
図６に示すように、ゲートバスラインＧＬには、ゲートハイ電位Ｖｇｈとゲートロー電位Ｖｇｌとの２値レベルで構成される選択信号Ｖｇがゲートドライバから出力される。選択信号ＶｇのゲートパルスはＶｇｐ−ｐ＝Ｖｇｈ−Ｖｇｌで表されるピーク・トゥ・ピーク電圧を有している。また、ソースバスラインＳＬには、正極性のデータ信号Ｖｓｐと負極性のデータ信号Ｖｓｎとが交流駆動によって切り替えられながらソースドライバから出力される。【０００５】
図６では、ある絵素ＰＩＸに着目した場合に、データ信号Ｖｓとして、あるフレーム期間ＴＦ１で正極性のデータ信号Ｖｓｐを絵素電極１０２に書き込み、次のフレーム期間ＴＦ２で負極性のデータ信号Ｖｓｎを絵素電極１０２に書き込む様子を示している。【０００６】
フレーム期間ＴＦ１では、その前に電位Ｖｄｎが書き込まれていた絵素電極１０２が、ＴＦＴ１０１のゲートに選択信号Ｖｇのゲートパルスが印加されてＴＦＴ１０１がＯＮ状態になると、データ信号Ｖｓｐの電位Ｖｓｐに向って書き込まれていく。これにより液晶容量Ｃｌｃおよび補助容量Ｃｓが充電される。そして、ゲートパルスが立ち下がるとＴＦＴ１０１がＯＦＦ状態になり絵素電極１０２への書き込みが終了するが、このとき、ゲートパルスがゲートハイ電位Ｖｇｈからゲートロー電位Ｖｇｌへと急峻に変化するため、絵素電極１０２とゲートバスラインＧＬとの間の寄生容量である容量Ｃｇｄを介した引き込み現象のために絵素電極１０２の電位が電圧ΔＶｄだけ低下し、絵素電極１０２の電位はデータ信号Ｖｓｐの電位よりも低いＶｄｐとなる。この電圧ΔＶｄを引き込み電圧(feed through voltage)と呼ぶ。液晶容量Ｃｃｌ、補助容量Ｃｓ、および、容量Ｃｇｄなどの寄生容量を合わせた絵素全体の容量をＣｐｉｘとしたとき、
ΔＶｄ＝（Ｃｇｄ／Ｃｐｉｘ）・Ｖｇｐ−ｐ
＝（Ｃｇｄ／Ｃｐｉｘ）・（Ｖｇｈ−Ｖｇｌ）  ・・・（１）
と表される。図５において寄生容量として容量Ｃｇｄのみを考慮した場合にはＣｐｉｘ＝Ｃｌｃ＋Ｃｓ＋Ｃｇｄである。【０００７】
フレーム期間ＴＦ２では、その前に電位Ｖｄｐが書き込まれていた絵素電極１０２が、ＴＦＴ１０１のゲートに選択信号Ｖｇのゲートパルスが印加されてＴＦＴ１０１がＯＮ状態になると、データ信号Ｖｓｎの電位Ｖｓｎに向って書き込まれていく。これにより液晶容量Ｃｌｃおよび補助容量Ｃｓが充電される。そして、ここでも、ゲートパルスが立ち下がると、容量Ｃｇｄを介した引き込み現象のために絵素電極１０２の電位が電圧ΔＶｄだけ低下し、絵素電極１０２の電位はデータ信号Ｖｓｎの電位よりも低いＶｄｎとなる。【０００８】
液晶表示パネルではこの引き込み現象が発生するために、正極性のデータ信号Ｖｓｐの電圧範囲と負極性のデータ信号Ｖｓｎの電圧範囲との間の中央に電圧Ｖｃｏｍが設定されていると、電圧Ｖｃｏｍは、絵素電極１０２が書き込まれた後に保持する電圧の正極性範囲と負極性範囲との間の中央値からΔＶｄだけ高いほうにずれた値となる。従って、各絵素ＰＩＸにおける液晶印加電圧は、正極性と負極性とで互いに実効値が異なってしまうこととなって、表示品位の低下および液晶の劣化を起こす。【０００９】
そこで、ソースドライバに供給する階調データを予めΔＶｄの変動分だけ補正することによって、引き込み現象の影響を補償する手法を取ることが考えられる。すなわち、絵素ＰＩＸに供給されたデータ信号の電圧は絵素電極１０２への書き込みが終了した後はΔＶｄだけ低下することから、ソースドライバは実質的に目標値よりもΔＶｄだけ低い電圧のデータ信号を絵素ＰＩＸに供給していることとなるので、表示コントローラに供給される階調データを、電圧ΔＶｄだけ上昇させるようにシフトさせたデータ信号に対応する階調データに補正してソースドライバに供給するようにする。【００１０】
しかし、表示パネル上において、ゲートバスラインＧＬは抵抗分および容量分を分布定数的に有しているため、ゲートドライバからゲートバスラインＧＬに出力されたゲートパルスは伝搬遅延を伴いながら各絵素ＰＩＸのＴＦＴ１０１のゲートに到達する。これにより、ゲートパルスはゲートドライバの出力から遠い地点ほど大きな遅延を受けた波形となる。例えば図７に示すように、ゲートドライバによって生成された第ｊ行のゲートバスラインＧＬのゲートパルスＶＧ（ｊ）の波形が理想的な方形波であるとすると、第ｊ行第１列の絵素ＰＩＸに到達するゲートパルスＶｇ（１，ｊ）の遅延は小さく、第ｊ行第Ｎ列の絵素ＰＩＸに到達するゲートパルスＶｇ（Ｎ，ｊ）の遅延は大きい。【００１１】
ＴＦＴ１０１の閾値電圧ＶＴはゲートパルスの立ち下がりの途中の電位として存在するので、遅延によりゲートパルスの立ち下がりが緩慢になると、電荷保存則のみを用いる静電的解法で導出可能な式（１）とは異なって、図７に示すゲートパルスの立ち下がりの単位時間当たりの変化量ＳｙＮが小さくなるほど、ＴＦＴ１０１がＯＦＦ状態に移行するまでの遷移時間が長くなるとともに、ＯＦＦ状態になってからゲートパルスがゲートロー電位に低下するまでの波形が緩やかになって容量Ｃｇｄのフィードスルーが小さくなることにより、ΔＶｄは小さくなる。【００１２】
すなわち、変化量ＳｙＮは、ゲートドライバの出力からゲートまでの距離が大きいほど小さいので、電圧ΔＶｄは、表示パネル上でゲートドライバの出力からの距離が大きい絵素ＰＩＸほど小さくなるような分布を有することとなる。図７では、遅延の小さいゲートパルスＶｇ（１，ｊ）が印加された絵素ＰＩＸでは絵素電極１０２の電位変動は急峻に起ってΔＶｄ（１）の電位低下が生じ、遅延の大きいゲートパルスＶｇ（Ｎ，ｊ）が印加された絵素ＰＩＸでは絵素電極１０２の電位変動は緩慢に起ってΔＶｄ（Ｎ）の電位低下が生じることが示されている。ΔＶｄ（１）＞ΔＶｄ（Ｎ）である。【００１３】
この結果、ソースドライバに供給する全ての階調データを一様に補正したのでは、パネル面内で引き込み現象を均一に相殺することができず、表示品位に分布が生じてしまう。【００１４】
この問題に基づき、階調データを補正して引き込み現象を補償するには、階調データの補正量にパネル面内で分布を持たせることが行われる。【００１５】
例えば図８の（ａ）に示す表示パネルでは、各ゲートバスラインにパネルの両側からゲートパルスを供給するので、表示パネル上の位置をコラムの位置を用いて表現すると、パネル両端部Ａのコラムに近い絵素ＰＩＸほど電圧ΔＶｄが大きく、パネル中央部Ｃのコラムに近い絵素ＰＩＸほど電圧ΔＶｄが小さい。従って、図８の（ｂ）に示すように、ある階調データに対応する正極性のデータ信号Ｖｓｐまたは負極性のデータ信号Ｖｓｎを破線で示すようにパネル面内（すなわちパネル左右方向）で均一に設定した場合には、電圧ΔＶｄの分布により、引き込み現象発生後の絵素電極電位Ｖｄは、正極性の絵素電極電位Ｖｄｐおよび負極性の絵素電極電位Ｖｄｎの両方とも実線で示すように、パネル中央部Ｃのコラムで上に凸となる曲線状の分布をなす。この場合に、正極性の階調データによる液晶印加電圧はパネル中央部Ｃで最も大きくなるとともにパネル中央部Ｃからパネル中間部Ｂを経てパネル両端部Ａに近付くにつれて次第に小さくなり、負極性の階調データによる液晶印加電圧はパネル中央部Ｃで最も小さくなるとともにパネル中央部Ｃからパネル中間部Ｂを経てパネル両端部Ａに近付くにつれて次第に大きくなる。そこで、図８の（ｃ）に破線で示すように、各絵素の階調データを、表示ドライバに供給する前に予め電圧ΔＶｄの分布を補償するように、すなわち、パネル両端部Ａに近いほどデータ信号電位Ｖｄｐ・Ｖｄｎが高くなるような分布を持つように補正する。これにより、引き込み現象発生後の絵素電極電位Ｖｄｐ・Ｖｄｎは実線で示すようにパネル面内で均一になる。【００１６】
上記階調データの補正においては、ノーマリ表示に近いほうの階調を低階調側としたとき、図９に示すように、正極性の入力階調データについては、パネル中央部Ｃの絵素ＰＩＸに供給する階調データを小さな階調数だけ増加させるように補正し、パネル中央部Ｃからパネル両端部Ａに向うほど大きな階調数増加させるように補正するとともに、負極性の入力階調データについては、パネル中央部Ｃの絵素ＰＩＸに供給する階調データを小さな階調数だけ減少させるように補正し、パネル中央部Ｃからパネル両端部Ａに向うほど大きな階調数減少させるように補正する。【００１７】
このように、電圧ΔＶｄの面内分布を補償するように階調データの補正を行えば、補正後の階調データに対応したデータ信号によって絵素ＰＩＸへの書き込みを行うので、絵素電極１０２の電位が書き込み後に電圧ΔＶｄだけ低下しても、コモン電極電位Ｖｃｏｍを変化させることなく、正極性のデータ信号と負極性のデータ信号との互いの実効値を面内で均一に等しくすることができる。
【先行技術文献】
【特許文献】
【００１８】
【特許文献１】日本国公開特許公報「特開平７−１３４５７２号公報（１９９５年５月２３日公開）」
【特許文献２】日本国公開特許公報「特開２００２−２５１１７０号公報（２００２年９月６日公開）」
【特許文献３】日本国公開特許公報「特開２００２−１２３２０９号公報（２００２年４月２６日公開）」
【非特許文献】
【００１９】
【非特許文献１】堀  浩雄，鈴木  幸治  責任編集「シリーズ先端ディスプレイ技術２  カラー液晶ディスプレイ」，共立出版株式会社，2001年6月25日初版，pp247-248
【発明の概要】
【発明が解決しようとする課題】
【００２０】
上述した電圧ΔＶｄに相当する補正を階調データに施すのは表示コントローラの内部で行われる。この補正を行う補正部は、例えば図９に示す補正量をルックアップテーブルとしてＲＯＭに記憶しており、入力される階調データに対して、このルックアップテーブルを参照しながら、階調データを供給する絵素が属するコラムの位置に対応した補正量で補正を施す。しかしながら、この表示装置においてさらにオーバーシュート駆動を行おうとするときに、電圧ΔＶｄの補償を行った階調データに対して、オーバーシュート量を加算した階調データを生成する処理（以下、オーバーシュート処理と称する）を行おうとすると、オーバーシュート量が適切な量にならないという問題が生じる。【００２１】
オーバーシュート駆動は、液晶の応答速度を改善するために、自フレームのデータ信号に変換される前の階調データに対して、自フレームよりも前の所定のフレームの上記階調データと自フレームの上記階調データとに少なくとも基づいたオーバーシュート量を有するようにデータ変換処理する駆動方法である。【００２２】
このときのオーバーシュート量は、前フレームの表示データを考慮するなど、様々な設計思想に基づいて各階調データごとに決められるので、一般に階調データが異なれば異なる。表示コントローラでは、オーバーシュート設定部が、例えば図１０に示すようなルックアップテーブルを参照しながらオーバーシュート処理を行う。当該ルックアップテーブルにはオーバーシュート量に関する情報が格納されている。この図１０の例では、Ｎフレーム目の表示に用いた階調データを考慮して、Ｎ＋１フレーム目の表示に用いる各階調データに対して、オーバーシュート期間のオーバーシュート量だけ増加させた階調データが格納されており、オーバーシュート設定部がＮ＋１フレーム目の表示に用いる各階調データに対応する階調データを読み込んでオーバーシュート量を設定するようになっている。【００２３】
このオーバーシュート駆動により、時定数的に充電される液晶容量の充電速度が大きくなるので、絵素電極電位がデータ信号の最終供給電位に到達するまでの時間が短縮され、液晶の応答速度が向上して、動画性能の高い表示が可能になる。また、オーバーシュート駆動は、交流駆動において正極性から負極性へといったデータ信号の極性反転時の再充電時間を短縮することができるので、交流駆動を行うのが通常である表示装置は、一般的にオーバーシュート駆動による充電時間短縮の効果を享受できる。【００２４】
しかし、電圧ΔＶｄの補償は液晶印加電圧そのものは変えない、すなわち、液晶印加電圧の実効値は変えないので、電圧ΔＶｄの補償を行うための補正分を含む階調データに対応するデータ信号の電位に対して、当該補正分を含まない階調データに対応するデータ信号の電位に対するのと同じ基準でオーバーシュート量を決めることはできない。すなわち、液晶印加電圧は絵素電極電位とコモン電極電位Ｖｃｏｍとの差であるので、液晶容量の充電速度を決めるオーバーシュート量は、本来、絵素電極電位よりもむしろ液晶印加電圧に対して設定されるべきであるからである。【００２５】
従って、電圧ΔＶｄに対する補正が施された階調データに対してオーバーシュート量を加算しようとすると、補正後の階調データに対応するデータ信号の電位に応じたオーバーシュート量が与えられてしまい、絵素において引き込み現象が発生した後の実際の書き込み電位に対する適切なオーバーシュート量からずれてしまう。【００２６】
このことを図１１を用いて説明する。【００２７】
電圧ΔＶｄの補償を行わずにオーバーシュート処理を行う場合に、例えば図１１の（ａ）に示すように、１フレームに亘る液晶印加電圧の実効値を２．８５Ｖとする階調データ「１１２」に対して、オーバーシュート処理（図ではＯＳ処理と記載）を行って、オーバーシュート量「６４」を加算したオーバーシュート期間の階調データ「１７６」を生成することを考える。このとき、データ信号の書き込み動作が行われている期間における絵素電極電位として、実際の絵素電極電位の代わりに、階調データに対応するデータ信号の電位そのものを採用して求めた、１フレーム期間に亘る液晶印加電圧の見かけの実効値を考えると、見かけの実効値は３．７９Ｖとなり、オーバーシュート量の加算が見かけの実効値を０．９４Ｖ押し上げる効果を有することが分かる。【００２８】
一方、電圧ΔＶｄの補償とオーバーシュート処理との両方を行う場合に、例えば図１１の（ｂ）に示すように、１フレームに亘る液晶印加電圧の実効値を２．８５Ｖとする階調データ「１１２」に対して、図９に示すパネル両端部Ａを例として、電圧ΔＶｄの補償を行って、正極性の階調データについては「１２８」とし、負極性の階調データについては「９６」とする補正を施す。この電圧ΔＶｄの補償の結果、上記実効値は２．８５Ｖのままである。そして、電圧ΔＶｄの補償が施された階調データに対してオーバーシュート処理を行うと、例えば、階調データ「１２８」については階調データ「１８８」を生成し、階調データ「９６」については階調データ「１５８」を生成することとなる。階調データ「１８８」は見かけの実効値を１．１３Ｖ押し上げて３．９８Ｖとし、階調データ「１５８」は見かけの実効値を０．６９Ｖ押し上げて３．５４Ｖとする。【００２９】
従って、階調データに対して電圧Ｖｄの補正の後にオーバーシュート処理を行うと、電圧Ｖｄの補正を行わずにオーバーシュート処理を行う場合と比較してオーバーシュートの効果が異なるとともに、正極性の階調データと負極性の階調データとで互いにオーバーシュートの効果が揃わなくなる。【００３０】
以上のように、従来の表示装置では、引き込み電圧の補償と適切なオーバーシュート処理とを両立させる手法がないという問題があった。【００３１】
本発明は、上記従来の問題点に鑑みなされたものであり、その目的は、データ信号に変換される前の各階調データに対して、引き込み電圧の補償といった、供給先の表示パネルのコラム位置に対応した階調補正を行いながら、適切なオーバーシュート処理を行うことのできる表示装置、および表示装置の駆動方法を実現することにある。
【課題を解決するための手段】
【００３２】
本発明の表示装置は、上記課題を解決するために、アクティブマトリクス型の表示装置であって、自フレームのデータ信号に変換される前の階調データに対して、上記自フレームよりも前の所定のフレームの上記階調データと上記自フレームの上記階調データとに少なくとも基づいたオーバーシュート量を有するようにデータ変換処理するオーバーシュート処理を行い、上記自フレームの上記階調データに上記オーバーシュート処理が行われて得られたオーバーシュート処理後階調データに対して、表示パネル上のデータ信号を供給する各コラムの位置に対応した補正量で階調補正を行うことを特徴としている。【００３３】
上記の発明によれば、オーバーシュート処理と、補正量がデータ信号を供給する表示パネル上のコラム位置に対応した面内分布を有するような階調データの階調補正との両方を行っても、オーバーシュート処理は自フレームの元の階調データに対してなされるとともに、上記階調補正は自フレームの上記階調データに上記オーバーシュート処理が行われて得られたオーバーシュート処理後階調データに対してなされる。従って、オーバーシュート量は従来と同様の基準で設定することができ、また、上記階調補正の補正量はコラム位置に対応していてオーバーシュート量とは無関係に設定することができるので、表示素子への印加電圧の見かけの実効値を上記階調補正を行わずにオーバーシュート処理を行った場合と容易に等しくすることができる。【００３４】
この結果、データ信号に変換される前の各階調データに対して、引き込み電圧の補償といった、供給先の表示パネルのコラム位置に応じた階調補正を行いながら、適切なオーバーシュート処理を行うことのできる表示装置を実現することができるという効果を奏する。【００３５】
本発明の表示装置は、上記課題を解決するために、上記補正量は、上記各コラムの位置に対応した引き込み電圧の大きさに対応していることを特徴としている。【００３６】
上記の発明によれば、上記階調補正が、引き込み電圧の面内分布を補償する処理である場合に、適切なオーバーシュート処理を行うことができるという効果を奏する。【００３７】
本発明の表示装置は、上記課題を解決するために、各絵素に供給するデータ信号の極性は、１フレームごとに反転することを特徴としている。【００３８】
上記の発明によれば、絵素のデータを書き換えるときにデータ信号の極性が反転するが、階調データに対して適切なオーバーシュート処理がなされているので、液晶の応答速度を適切に高めることができるという効果を奏する。【００３９】
本発明の表示装置は、上記課題を解決するために、上記データ信号に変換される前の階調データは、表示ドライバに供給される前の階調データであることを特徴としている。【００４０】
上記の発明によれば、表示ドライバが階調補正を行う機能を備えていなくても、表示コントローラなどの前段側の回路で階調補正を行うことができるという効果を奏する。【００４１】
本発明の表示装置は、上記課題を解決するために、各ゲートバスラインに、上記各ゲートバスラインの両端からゲートパルスを供給することを特徴としている。【００４２】
上記の発明によれば、ゲートバスラインの両端からゲートパルスを供給するので、ゲートパルスの遅延分布が小さくなり、引き込み電圧の面内分布を補償する階調補正の補正量の面内分布が小さくなる。従って、オーバーシュート処理後階調データに対して広い再現域を確保しながら引き込み現象の補償を行うことができるという効果を奏する。【００４３】
本発明の表示装置は、上記課題を解決するために、各ゲートバスラインに、全ての上記ゲートバスラインに対する所定の片端からゲートパルスを供給することを特徴としている。【００４４】
上記の発明によれば、各ゲートバスラインにおいて引き込み電圧の面内分布が大きいが、オーバーシュート処理をこの面内分布に影響されることなく適切に行うことができるので、オーバーシュート処理の効果を、上記階調補正を行わずにオーバーシュート処理を行った場合から変えない効果が大きい。【００４５】
本発明の表示装置は、上記課題を解決するために、上記オーバーシュート量を、上記オーバーシュート量に関する情報を格納した第１のルックアップテーブルを参照して設定することを特徴としている。【００４６】
上記の発明によれば、オーバーシュート処理を容易に行うことができるという効果を奏する。【００４７】
本発明の表示装置は、上記課題を解決するために、上記補正量を、上記補正量に関する情報を格納した第２のルックアップテーブルを参照して設定することを特徴としている。【００４８】
上記の発明によれば、階調補正を容易に行うことができるという効果を奏する。【００４９】
本発明の表示装置は、上記課題を解決するために、上記第２のルックアップテーブルは、一部の上記コラムの位置に対応した上記補正量に関する情報を格納しており、上記一部の上記コラムの位置に対応した上記オーバーシュート処理後階調データに対しては、上記第２のルックアップテーブルに格納された上記補正量に関する情報を読み込んで上記階調補正の補正量を設定し、他の上記コラムの位置に対応した上記オーバーシュート処理後階調データに対しては、上記第２のルックアップテーブルに格納された上記補正量に関する情報を用いた補間演算により上記補正量を求めて設定することを特徴としている。【００５０】
上記の発明によれば、第２のルックアップテーブルに格納する補正量に関する情報のデータ量を小さくすることができるので、階調補正を行う手段を小型化することができるという効果を奏する。【００５１】
本発明の表示装置の駆動方法は、上記課題を解決するために、アクティブマトリクス型の表示装置を駆動する表示装置の駆動方法であって、自フレームのデータ信号に変換される前の階調データに対して、上記自フレームよりも前の所定のフレームの上記階調データと上記自フレームの上記階調データとに少なくとも基づいたオーバーシュート量を有するようにデータ変換処理するオーバーシュート処理を行い、上記自フレームの上記階調データに上記オーバーシュート処理が行われて得られたオーバーシュート処理後階調データに対して、表示パネル上のデータ信号を供給する各コラムの位置に対応した補正量で階調補正を行うことを特徴としている。【００５２】
上記の発明によれば、オーバーシュート処理と、補正量がデータ信号を供給する表示パネル上のコラム位置に対応した面内分布を有するような階調データの階調補正との両方を行っても、オーバーシュート処理は自フレームの元の階調データに対してなされるとともに、上記階調補正は自フレームの上記階調データに上記オーバーシュート処理が行われて得られた階調データに対してなされる。従って、オーバーシュート量は従来と同様の基準で設定することができ、また、上記階調補正の補正量はコラム位置に対応していてオーバーシュート量とは無関係に設定することができるので、表示素子への印加電圧の見かけの実効値を上記階調補正を行わずにオーバーシュート処理を行った場合と容易に等しくすることができる。【００５３】
この結果、データ信号に変換される前の各階調データに対して、引き込み電圧の補償といった、供給先の表示パネルのコラム位置に応じた階調補正を行いながら、適切なオーバーシュート処理を行うことのできる表示装置の駆動方法を実現することができるという効果を奏する。【００５４】
本発明の表示装置の駆動方法は、上記課題を解決するために、上記補正量は、上記各コラムの位置に対応した引き込み電圧の大きさに対応していることを特徴としている。【００５５】
上記の発明によれば、上記階調補正が、引き込み電圧の面内分布を補償する処理である場合に、適切なオーバーシュート処理を行うことができるという効果を奏する。【００５６】
本発明の表示装置の駆動方法は、上記課題を解決するために、各絵素に供給するデータ信号の極性は、１フレームごとに反転することを特徴としている。【００５７】
上記の発明によれば、絵素のデータを書き換えるときにデータ信号の極性が反転するが、階調データに対して適切なオーバーシュート処理がなされているので、液晶の応答速度を適切に高めることができるという効果を奏する。【００５８】
本発明の表示装置の駆動方法は、上記課題を解決するために、上記データ信号に変換される前の階調データは、表示ドライバに供給される前の階調データであることを特徴としている。【００５９】
上記の発明によれば、表示ドライバが階調補正を行う機能を備えていなくても、表示コントローラなどの前段側の回路で階調補正を行うことができるという効果を奏する。【００６０】
本発明の表示装置の駆動方法は、上記課題を解決するために、各ゲートバスラインに、上記各ゲートバスラインの両端からゲートパルスを供給することを特徴としている。【００６１】
上記の発明によれば、ゲートバスラインの両端からゲートパルスを供給するので、ゲートパルスの遅延分布が小さくなり、引き込み電圧の面内分布を補償する階調補正の補正量の面内分布が小さくなる。従って、オーバーシュート処理後階調データに対して広い再現域を確保しながら引き込み現象の補償を行うことができるという効果を奏する。【００６２】
本発明の表示装置の駆動方法は、上記課題を解決するために、各ゲートバスラインに、全ての上記ゲートバスラインに対する所定の片端からゲートパルスを供給することを特徴としている。【００６３】
上記の発明によれば、各ゲートバスラインにおいて引き込み電圧の面内分布が大きいが、オーバーシュート処理をこの面内分布に影響されることなく適切に行うことができるので、オーバーシュート処理の効果を、上記階調補正を行わずにオーバーシュート処理を行った場合から変えない効果が大きい。【００６４】
本発明の表示装置の駆動方法は、上記課題を解決するために、上記オーバーシュート量を、上記オーバーシュート量に関する情報を格納した第１のルックアップテーブルから読み込んで設定することを特徴としている。【００６５】
上記の発明によれば、オーバーシュート処理を容易に行うことができるという効果を奏する。【００６６】
本発明の表示装置の駆動方法は、上記課題を解決するために、上記補正量を、上記補正量に関する情報を格納した第２のルックアップテーブルを参照して設定することを特徴としている。【００６７】
上記の発明によれば、階調補正を容易に行うことができるという効果を奏する。【００６８】
本発明の表示装置の駆動方法は、上記課題を解決するために、上記第２のルックアップテーブルは、一部の上記コラムの位置に対応した上記補正量に関する情報を格納しており、上記一部の上記コラムの位置に対応した上記オーバーシュート処理後階調データに対しては、上記第２のルックアップテーブルに格納された上記補正量に関する情報を読み込んで上記補正量を設定し、他の上記コラムの位置に対応した上記オーバーシュート処理後階調データに対しては、上記第２のルックアップテーブルに格納された上記補正量に関する情報を用いた補間演算により上記補正量を求めて設定することを特徴としている。【００６９】
上記の発明によれば、第２のルックアップテーブルに格納する補正量に関する情報のデータ量を小さくすることができるので、階調補正を行う手段を小型化することができるという効果を奏する。
【発明の効果】
【００７０】
本発明の表示装置は、以上のように、アクティブマトリクス型の表示装置であって、自フレームのデータ信号に変換される前の階調データに対して、上記自フレームよりも前の所定のフレームの上記階調データと上記自フレームの上記階調データとに少なくとも基づいたオーバーシュート量を有するようにデータ変換処理するオーバーシュート処理を行い、上記自フレームの上記階調データに上記オーバーシュート処理が行われて得られたオーバーシュート処理後階調データに対して、表示パネル上のデータ信号を供給する各コラムの位置に対応した補正量で階調補正を行う。【００７１】
本発明の表示装置の駆動方法は、以上のように、アクティブマトリクス型の表示装置を駆動する表示装置の駆動方法であって、自フレームのデータ信号に変換される前の階調データに対して、上記自フレームよりも前の所定のフレームの上記階調データと上記自フレームの上記階調データとに少なくとも基づいたオーバーシュート量を有するようにデータ変換処理するオーバーシュート処理を行い、上記自フレームの上記階調データに上記オーバーシュート処理が行われて得られたオーバーシュート処理後階調データに対して、表示パネル上のデータ信号を供給する各コラムの位置に対応した補正量で階調補正を行う。【００７２】
この結果、データ信号に変換される前の各階調データに対して、引き込み電圧の補償といった、供給先の表示パネルのコラム位置に応じた階調補正を行いながら、適切なオーバーシュート処理を行うことのできる表示装置および表示装置の駆動方法を実現することができるという効果を奏する。
【図面の簡単な説明】
【００７３】
【図１】本発明の実施形態を示すものであり、オーバーシュート処理と引き込み電圧補正との両方を行う方法を説明する図である。
【図２】本発明の実施形態を示すものであり、図１の方法を実行する表示装置の構成を示す回路ブロック図である。
【図３】図２の表示装置が備える絵素の構成例を示す平面図である。
【図４】図２の表示装置が備える表示コントローラのタイミングコントローラの構成を示すブロック図である。
【図５】従来技術を示すものであり、絵素の構成を等価回路で示す回路図である。
【図６】図５の絵素の引き込み現象を説明する電位波形図である。
【図７】図６の引き込み現象がパネル面内で分布を有することを説明する電位波形図である。
【図８】図７の引き込み現象の面内分布を補償する方法を示す図であって、（ａ）は想定するパネル構成例を示す平面図、（ｂ）は引き込み電圧および絵素電極電位の面内分布を示すグラフ、（ｃ）は引き込み電圧を補償する階調データの補正量分布を示すグラフである。
【図９】図８の引き込み現象を補償するのに用いるルックアップテーブルの構成を示す図である。
【図１０】従来技術を示すものであり、オーバーシュート処理を行うのに用いるルックアップテーブルの構成を示す図である。
【図１１】従来技術を示すものであり、オーバーシュート処理を説明する図であって、（ａ）は引き込み電圧の補償を行わずにオーバーシュート処理を行う場合の液晶印加電圧の実効値の変化を示す図であり、（ｂ）は引き込み電圧の補償とオーバーシュート処理との両方を行う場合の液晶印加電圧の実効値の変化を示す図である。
【発明を実施するための形態】
【００７４】
本発明の実施形態について、図１〜図４を用いて説明すれば以下の通りである。
【００７５】
図２に、本実施形態に係る液晶表示装置（表示装置）１の構成を示す。同図に示されるように、液晶表示装置１は、表示パネル２と、ＳＯＦ基板３と、複数のソースドライバ（表示ドライバ）ＳＤ１…・ＳＤ２…と、複数のゲートドライバＧＤ１…・ＧＤ２…と、フレキシブル配線４ａ・４ｂと、表示コントローラ５とを備えたアクティブマトリクス型の表示装置である。なお、表示パネル２とその他の部材とが任意の組み合わせで１つのパネル上に実装されていてもよいし、ソースドライバＳＤ１…・ＳＤ２…と、ゲートドライバＧＤ１…・ＧＤ２…と、表示コントローラ５との一部または全部が同じフレキシブルプリント基板などの外部基板に搭載されて、表示パネル２を備えたパネルに接続された構成でもよく、任意の配置が可能である。
【００７６】
図３に、表示パネル２が備える各絵素Ｐの一構成例を示す。ここでは、絵素Ｐは、表示装置におけるγ特性の視角依存性を改善するマルチ絵素駆動方式の絵素構成をなしているが、これに限らず任意の構成で構わない。マルチ絵素駆動においては、輝度の異なる２つ以上の副絵素によって１つの絵素を構成することにより、視野角特性すなわちγ特性の視角依存性を改善する。
【００７７】
１つの絵素Ｐは２つの副絵素ｓｐ１、ｓｐ２に分割されている。副絵素ｓｐ１は、ＴＦＴ１６ａ、副絵素電極１８ａ、および、補助容量２２ａを備えており、副絵素ｓｐ２は、ＴＦＴ１６ｂ、副絵素電極１８ｂ、および、補助容量２２ｂを備えている。
【００７８】
ＴＦＴ１６ａおよびＴＦＴ１６ｂのそれぞれのゲ−ト電極は互いに共通のゲートバスラインＧＬに接続され、ソース電極は互いに共通のソースバスラインＳＬに接続されている。補助容量２２ａは副絵素電極１８ａと補助容量バスラインＣｓＬ１との間で形成されており、補助容量２２ｂは副絵素電極１８ｂと補助容量バスラインＣｓＬ２との間で形成されている。補助容量バスラインＣｓＬ１は、上記ゲートバスラインＧＬとの間に副絵素ｓｐ１の領域を挟んでゲートバスラインＧＬと平行に延びるように設けられている。補助容量バスラインＣｓＬ２は、上記ゲートバスラインＧＬとの間に副絵素ｓｐ２の領域を挟んでゲートバスラインＧＬと平行に延びるように設けられている。
【００７９】
また、各絵素Ｐの補助容量バスラインＣｓＬ１は、当該補助容量バスラインＣｓＬ１を挟んで当該絵素Ｐに隣接する絵素Ｐの副絵素ｓｐ２が補助容量２２ｂを形成するための補助容量バスラインＣｓＬ２を兼ねており、各絵素Ｐの補助容量バスラインＣｓＬ２は、当該補助容量バスラインＣｓＬ２を挟んで当該絵素Ｐに隣接する絵素Ｐの副絵素ｓｐ１が補助容量２２ａを形成するための補助容量バスラインＣｓＬ１を兼ねている。
【００８０】
副絵素ｓｐ１・ｓｐ２はともに同じソースバスラインＳＬに接続されているとともにＴＦＴ１６ａ・１６ｂがともに同じゲートバスラインＧＬに接続されているので、副絵素ｓｐ１と副絵素ｓｐ２とには同じデータ信号、すなわち同じ階調データが供給されると見なす。この階調データは、副絵素ｓｐ１と副絵素ｓｐ２との寄与を合わせた絵素Ｐ全体としての輝度に対応している。
【００８１】
図２において、ソースドライバＳＤ１…・ＳＤ２…とゲートドライバＧＤ１…・ＧＤ２…とはＳＯＦ(System On Film)の形態で表示パネル２に接続されている。ここではソースドライバＳＤ１…・ＳＤ２…は表示パネル２の一辺にのみ接続されており、ソースドライバＳＤ１…は表示パネル２の紙面左半分のソースバスラインＳＬ…にデータ信号を供給するとともに、ソースドライバＳＤ２…は表示パネル２の紙面右半分のソースバスラインＳＬ…にデータ信号を供給する。ソースドライバＳＤ１…・ＳＤ２…が接続されている辺と紙面左側で直交するほうの一辺にゲートドライバＧＤ１…が、紙面右側で直交するほうの一辺にゲートドライバＧＤ２…がそれぞれ接続されているが、特にこれらの配置の仕方に制限はない。また、ソースドライバＳＤ１…・ＳＤ２…はＳＯＦ基板３に接続されており、ＳＯＦ基板３から各ソースドライバに、対応する階調データが供給されるようになっている。
【００８２】
ＳＯＦ基板３はフレキシブル配線４ａ・４ｂを介して表示コントローラ５に接続されている。フレキシブル配線４ａはソースドライバＳＤ１…およびゲートドライバＧＤ１…への接続配線を備えており、フレキシブル配線４ｂはソースドライバＳＤ２…およびゲートドライバＧＤ２…への接続配線を備えている。表示コントローラ５は、タイミングコトンローラ５１・５２を備えており、ソースドライバＳＤ１…・ＳＤ２…およびゲートドライバＧＤ１…・ＧＤ２…が使用するタイミング信号、ソースドライバＳＤ１…・ＳＤ２…が使用する階調データ、さらには、補助容量バスラインＣｓＬ１・ＣｓＬ２が使用する補助容量電圧を供給する。ゲートドライバＧＤ１…・ＧＤ２…が使用するタイミング信号、および、補助容量電圧は、ＳＯＦ基板３およびソースドライバＳＤ１…・ＳＤ２…のＳＯＦ上を介して表示パネル２内に供給される。なお、タイミングコントローラ５１とタイミングコントローラ５２とは１つにまとめられていてもよく、パネル左右に対する階調データの供給仕分けを、表示コントローラ５が備えるどのような回路ブロックで行ってもよい。
【００８３】
図４に、タイミングコントローラ５１・５２の構成を示す。タイミングコントローラ５１とタイミングコントローラ５２とは同じ構成であるので、ここでは代表してタイミングコントローラ５１について説明する。なお、タイミングコントローラ５１は表示パネル２の紙面左半分側のソースドライバＳＤ１…用およびゲートドライバＧＤ１…用の信号やデータ、補助容量電圧などを処理し、タイミングコントローラ５２は表示パネル２の紙面右半分側のソースドライバＳＤ２…用およびゲートドライバＧＤ２…用の信号やデータ、補助容量電圧を処理する。
【００８４】
タイミングコントローラ５１は、ＬＶＤＳレシーバ５１ａ、ガンマ補正部５１ｂ、オーバーシュート処理部５１ｃ、引き込み電圧補正部５１ｄ、データ送信ドライバ５１ｅ、メモリ５１ｆ、メモリ５１ｇ、および、タイミング制御回路５１ｈを備えている。
【００８５】
ＬＶＤＳレシーバ５１ａは、ＬＶＤＳドライバから出力されたＲＧＢの表示データを受信する。ガンマ補正部５１ｂは、ＬＶＤＳレシーバ５１ａから受け取ったＲＧＢの表示データのガンマ補正を行う。
【００８６】
オーバーシュート処理部５１ｃは、ガンマ補正部５１ｂから入力されるＲＧＢの階調データに対し、メモリ５１ｆに格納されている第１のルックアップテーブルを参照して、階調データにオーバーシュート量を加算するオーバーシュート処理を行う。第１のルックアップテーブルはオーバーシュート量に関する情報を格納しており、オーバーシュート処理部５１ｃは第１のルックアップテーブルに格納されたオーバーシュート量に関する情報を読み込んでオーバーシュート量を設定する。加算するオーバーシュート量として負の値も可能である。オーバーシュート量に関する情報は、入力される階調データに対して加算するオーバーシュート量そのものであってもよいし、入力される階調データに対応してオーバーシュート量が加算された結果の階調データであってもよい。
【００８７】
ΔＶｄ補正部５１ｄは、オーバーシュート処理部５１ｃから入力されるＲＧＢの階調データであるオーバーシュート処理後階調データに対し、メモリ５１ｇに格納されている第２のルックアップテーブルを参照して、階調データに対応したデータ信号を供給するコラムの位置に応じた階調補正を行う。第２のルックアップテーブルは、各コラムの位置に対応した階調補正の補正量に関する情報を格納しており、ΔＶｄ補正部５１ｄは、各コラムの位置に対応したオーバーシュート処理後階調データに対して、第２のルックアップテーブルに格納された補正量に関する情報を読み込んで階調補正の補正量を設定する。補正量に関する情報は、入力されるオーバーシュート処理後階調データに対して加算・減算する補正量そのものであってもよいし、入力されるオーバーシュート処理後階調データに対応して補正量が加算・減算された結果の階調データであってもよい。
【００８８】
データ送信ドライバ５１ｅは、ΔＶｄ補正部５１ｄから出力されたＲＧＢの階調データを、ＲＳＤＳ(Reduced Swing Differential Signaling)、ＰＰＤＳ(Point To Point Differential Signaling)、ＭｉｎｉＬＶＤＳなどの表示パネル２までの伝送に適したシリアルデータに変換して出力する。
【００８９】
タイミング制御回路５１ｈは、ソースドライバおよびゲートドライバが使用する、クロック信号およびスタートパルス信号などのタイミング信号を生成して出力する。
【００９０】
ここで、上記オーバーシュート処理部５１ｃおよびΔＶｄ補正部５１ｄにおける処理の詳細について、以下に説明する。
【００９１】
図１に示すように、ガンマ補正部５１ｂから階調データ「１１２」が出力されて、オーバーシュート処理部５１ｃに入力されたとする。この階調データ「１１２」は、液晶印加電圧の見かけの実効値を例えば２．８５Ｖとするデータであるとする。
【００９２】
オーバーシュート処理部５１ｃは、ここでは、第１のルックアップテーブルとしてメモリ５１ｆに格納された、図１０に示したのと同様のルックアップテーブルを参照し、入力階調データ「１１２」にオーバーシュート量「６４」が加算されたオーバーシュート処理後階調データ「１７６」を生成する。この階調データ「１７６」と元の階調データ「１１２」とによって絵素Ｐに書き込みを行うと、見かけの実効値は３．７９Ｖとなり、オーバーシュート駆動によって見かけの実効値は０．９４Ｖだけ押し上げられる。
【００９３】
そして、オーバーシュート処理部５１ｃによってオーバーシュート処理が施されてΔＶｄ補正部５１ｄに入力されたオーバーシュート処理後階調データ「１７６」は、ある位置のコラム（図９のパネル両端部Ａ）を例に取ると、正極性である場合に、補正量「１８」が加算された階調データ「１９４」に補正され、負極性である場合に、補正量「１７」が減算された階調データ「１５９」に補正される。階調データ「１９４」および階調データ「１５９」は、引き込み現象の発生を考慮すると、いずれも見かけの実効値を補正前と同じ３．７９Ｖとするデータであり、オーバーシュート駆動による効果をそのまま保持する。
【００９４】
このように、本実施形態の液晶表示装置１によれば、表示コントローラ５は、自フレームのソースドライバＳＤ１…・ＳＤ２…に供給する前の階調データに対して、少なくとも、上記自フレームよりも前の所定のフレームの上記階調データと、上記自フレームの上記階調データとに基づいたオーバーシュート量を有するようにデータ変換処理するオーバーシュート処理を行い、上記自フレームの上記階調データに上記オーバーシュート処理が行われて得られたオーバーシュート処理後階調データに対して、表示パネル２上のデータ信号を供給する各コラムの位置に対応した補正量で階調補正を行う。オーバーシュート量は、自フレームよりも前の所定のフレーム、例えば直前のフレームの階調データと自フレームの階調データとに基づいていてもよいし、自フレームよりも前の所定のフレームの階調データと、自フレームの階調データと、自フレームよりも後の所定のフレームの階調データとに基づいていてもよい。
【００９５】
これによれば、オーバーシュート処理とパネル面内分布を考慮した電圧ΔＶｄの補償との両方を行っても、オーバーシュート処理は元の階調データに対してなされるとともに、電圧ΔＶｄの補償はオーバーシュート処理後階調データに対してなされる。従って、オーバーシュート量は従来と同様の基準で設定することができ、また、電圧ΔＶｄを補償するための階調補正の補正量はオーバーシュート量とは無関係に設定することができるので、表示素子である液晶への印加電圧の見かけの実効値を電圧ΔＶｄの補償を行わずにオーバーシュート処理を行った場合と同様に適切な値とすることができる。この結果、引き込み電圧の補償を行いながら、適切なオーバーシュート駆動を行うことができる。
【００９６】
なお、上記例では、階調補正を電圧ΔＶｄの面内分布に対して行ったが、これに限ることなく、各コラムの位置に対応した補正量で階調補正を行う処理について一般に適用可能であることは、この階調補正の補正量が各コラムの位置に対応していて、設定されたオーバーシュート量とは無関係であることから容易に理解できる。従って、階調補正としては、補正の前後で液晶印加電圧の実効値を一定に保つものでも、保つもの以外でも、いずれでも構わない。また、補正量はコラムの位置の関数であるから、階調データに変化を与えない位置があってもよいのは容易に分かる。従って、補正量には「０」も含まれ得る。また、補正量の正負の符号も、位置に応じて任意に決めることが可能である。
【００９７】
また、液晶表示装置１が、各絵素に供給するデータ信号の極性が１フレームごとに反転する交流駆動を行うものである場合には、絵素のデータを書き換えるときにデータ信号の極性が反転するが、階調データに対して適切なオーバーシュート処理がなされているので、液晶の応答速度を適切に高めることができる。
【００９８】
また、図２に示したように、液晶表示装置１が、各ゲートバスラインＧＬに、各ゲートバスラインＧＬの両端からゲートパルスを供給するものである場合には、ゲートパルスの遅延分布が小さくなり、電圧ΔＶｄの面内分布を補償する階調補正の補正量の面内分布が小さくなる。従って、オーバーシュート処理後階調データに対して広い再現域を確保しながら引き込み現象の補償を行うことができる。
【００９９】
また、図示しなかったが、液晶表示装置が、各ゲートバスラインＧＬに、全てのゲートバスラインＧＬに対する所定の片端からゲートパルスを供給するものである場合には、各ゲートバスラインＧＬにおいて引き込み電圧の面内分布が大きい。しかし、本発明ではオーバーシュート処理をこの面内分布に影響されることなく適切に行うことができるので、オーバーシュート処理の効果を、上記階調補正を行わずにオーバーシュート処理を行った場合から変えない効果が大きい。
【０１００】
また、液晶表示装置１は、オーバーシュート量を、オーバーシュート量に関する情報を格納した第１のルックアップテーブルから読み込んで設定するので、オーバーシュート処理を容易に行うことができる。
【０１０１】
また、液晶表示装置１は、図８の（ａ）〜（ｃ）のＡ、Ｂ、Ｃで示されるような一部のコラムの位置に対応した階調補正の補正量に関する情報を第２のルックアップテーブルに格納し、上記一部のコラムの位置に対応したオーバーシュート処理後階調データに対しては、第２のルックアップテーブルに格納された補正量に関する情報を用いて階調補正の補正量を設定するとともに、他のコラムの位置に対応したオーバーシュート処理後階調データに対しては、第２のルックアップテーブルに格納された補正量に関する情報を用いた線形補間などの補間演算により、階調補正の補正量を求めて設定するものであってもよい。これによれば、第２のルックアップテーブルに格納する補正量のデータ量を小さくすることができるので、階調補正を行う手段を小型化することができる。
【０１０２】
なお、上記例では、表示ドライバに供給される前の階調データに対してオーバーシュート処理を行い、そして表示ドライバに供給される前にさらに階調補正を行う構成について説明したが、データ信号線ドライバの中に前記階調補正の機能、または、前記オーバーシュート処理および前記階調補正の機能を備えてもよく、データ信号に変換される前の階調データに対してオーバーシュート処理を行い、そしてさらに階調補正を行えばよい。
【０１０３】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１０４】
本発明は、液晶表示装置を初めとする各種表示装置に好適に使用することができる。
【符号の説明】
【０１０５】
１            液晶表示装置（表示装置）
２            表示パネル
５            表示コントローラ
５１ｃ        オーバーシュート処理部
５１ｄ        ΔＶｄ補正部
ＧＬ          ゲートバスライン
ＳＬ          ソースバスライン
Ｐ            絵素
Ｖｃｏｍ      コモン電極電位
【図１】
2010087051.tif 000003
【図２】
2010087051.tif 000004
【図３】
2010087051.tif 000005
【図４】
2010087051.tif 000006
【図５】
2010087051.tif 000007
【図６】
2010087051.tif 000008
【図７】
2010087051.tif 000009
【図８】
2010087051.tif 000010
【図９】
2010087051.tif 000011
【図１０】
2010087051.tif 000012
【図１１】
2010087051.tif 000013
【国際調査報告】
2010087051.tif 000014
2010087051.tif 000015
2010087051.tif 000016
2010087051.tif 000017
2010087051.tif 000018